Podtech/llm-jp-corpus-v4-ja_patent huggingface dataset:
【手続補正書】
【提出日】平成24年4月26日(2012.4.26)
【手続補正１】
【補正対象書類名】特許請求の範囲
【補正対象項目名】全文
【補正方法】変更
【補正の内容】
【特許請求の範囲】
【請求項１】
空間を画定する壁部を含む中実本体であって、前記空間は滅菌インジケータ及び少なくとも５ｃｍ３〜１０００ｃｍ３以下の体積の気体を完全に含むことができる中実本体と、
前記空間外への前記気体のいずれかの流れ及び前記空間内への滅菌剤のいずれかの流れが制限されるように、前記中実本体と関連する流量制限器と、を具備する滅菌プロセス管理装置であって、
前記滅菌インジケータは、物品を滅菌するために十分な時間及び温度において、当該滅菌インジケータが前記滅菌剤と接触したかどうかを示し、
前記中実本体の前記壁部は、前記滅菌剤に対して不透過性であり、前記壁部は少なくとも０．５ｃｍの厚さを有する滅菌プロセス管理装置。
【請求項２】
空間を画定する壁部を含む中実本体であって、前記空間は滅菌インジケータを完全に含むことができる中実本体と、
容器であって、前記中実本体が前記容器内に封止され、少なくとも５ｃｍ３の体積の気体が前記容器内に含まれる容器と、
前記容器外への前記気体のいずれかの流れ及び前記容器内への滅菌剤のいずれかの流れが制限されるように、前記容器に取り付けられるか又はその一部である流量制限器と、を具備する滅菌プロセス管理装置であって、
前記滅菌インジケータは、物品を滅菌するために十分な時間及び温度において、当該滅菌インジケータが前記滅菌剤と接触したかどうかを示し、
前記中実本体の前記壁部は、前記滅菌剤に対して不透過性であり、前記壁部は少なくとも０．３ｃｍの厚さを有する滅菌プロセス管理装置。
【請求項３】
物品を滅菌するために滅菌プロセスの有効性を決定する方法であって、当該方法は、
空間を画定する壁部を含む中実本体であって、前記空間は滅菌インジケータ及び少なくとも５ｃｍ３の体積の気体を完全に含む中実本体と、
前記空間外への前記気体のいずれかの流れ及び前記空間内への滅菌剤のいずれかの流れが制限されるように、前記中実本体と関連する流量制限器と、を具備する滅菌プロセス管理装置を提供する工程であって、
前記滅菌インジケータは、物品を滅菌するために十分な時間及び温度において、当該滅菌インジケータが前記滅菌剤と接触したかどうかを示し、
前記中実本体の前記壁部は、前記滅菌剤に対して不透過性であり、前記壁部は少なくとも０．５ｃｍの厚さを有する工程と、
前記滅菌プロセス管理装置を、前記物品を含む滅菌チャンバ内に配置する工程と、
前記滅菌プロセス管理装置及び前記物品を、前記滅菌剤及び高温に暴露する工程と、
前記滅菌インジケータが、前記物品を滅菌するために十分な時間及び温度において、当該滅菌インジケータが前記滅菌剤と接触したことを示したかどうかを決定する工程と、を含む方法。
【請求項４】
物品を滅菌するために滅菌プロセスの有効性を決定する方法であって、前記方法は、
空間を画定する壁部を含む中実本体であって、前記空間は滅菌インジケータを完全に含む中実本体と、
容器であって、前記中実本体は前記容器内に封止され、少なくとも５ｃｍ３の体積の気体が前記容器内に含まれる容器と、
前記容器外への前記気体のいずれかの流れ及び前記容器内への滅菌剤のいずれかの流れが制限されるように、前記容器に取り付けられるか又はその一部である流量制限器と、を具備する滅菌プロセス管理装置を提供する工程であって、
前記滅菌インジケータは、物品を滅菌するために十分な時間及び温度において、当該滅菌インジケータが前記滅菌剤と接触したかどうかを示し、
前記中実本体の前記壁部は、前記滅菌剤に対して不透過性であり、前記壁部は少なくとも０．３ｃｍの厚さを有する工程と、
前記滅菌プロセス管理装置を、前記物品を含む滅菌チャンバ内に配置する工程と、
前記滅菌プロセス管理装置及び前記物品を、前記滅菌剤及び高温に暴露する工程と、
前記滅菌インジケータが、前記物品を滅菌するために十分な時間及び温度において、当該滅菌インジケータが前記滅菌剤と接触したことを示したかどうかを決定する工程と、を含む方法。
【請求項５】
前記容器が、可撓性である少なくとも１つの壁部を具備する請求項２に記載の滅菌プロセス管理装置。
【請求項６】
前記容器が、可撓性である少なくとも１つの壁部を具備する請求項４に記載の方法。
【請求項７】
請求項１、２及び５のいずれか一項に記載の、少なくとも１つの滅菌プロセス管理装置と、同一又は異なる滅菌プロセスのための複数の滅菌インジケータとを具備するキット。
【請求項８】
前記流量制限器が、少なくとも１つの圧力作動弁を具備する請求項１、２及び５のいずれか一項に記載の滅菌プロセス管理装置。
【請求項９】
前記流量制限器が、少なくとも１つの圧力作動弁を具備する請求項３、４及び６のいずれか一項に記載の方法。
【請求項１０】
前記流量制限器が、少なくとも１つの圧力作動弁を具備する請求項７に記載のキット。
【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
本体（８５，８６，８８）と、
前記本体に取り付けられ、ケーブルを着脱式に受承し、ツールを起動するため電力信号
が印加される端子コンポーネント（８２，８４）と、
前記本体に取り付けられ、前記電力信号の前記ツールへの印加に応じて治療的または診
断的タスクを実行するために組織への印加のため設計された電力印加装置（３４，３６，
４０６）と、
前記本体に取り付けられ、前記ツールに印加される前記電力信号の特性を記述するデー
タ（３２７，３２８）が格納され、問い合わせ信号に応答して、メモリに格納されている
前記データを書き出すように構成されているメモリ（９０，３０６，３１２，３１８，３
５９，３６４，３７０，３７６，４２８）と、
を含む電動外科手術ツール（３２，３０２，４０２）であって、
絶縁回路（９４，９８，２１８，２２０，３２１，３２２，４３８，４４２，４６４）
が前記メモリを前記端子コンポーネントに接続し、
前記絶縁回路が、
メモリ問い合わせ信号の特性を有する信号が前記端子コンポーネントに印加されるとき
、前記信号の前記特性を顕著に変化させることなく前記信号を前記メモリに印加し、
前記問い合わせ信号の前記特性と異なる特性を有する信号が前記端子コンポーネントに
印加されるとき、前記メモリに印加される前記信号の前記特性を実質的に変化させるよう
に構成されていることを特徴とする、電動外科手術ツール。
【請求項２】
前記端子コンポーネントを介して前記メモリに印加される前記問い合わせ信号が少なく
とも選択周波数にあり、
前記絶縁回路が、前記問い合わせ信号の周波数と異なる周波数の信号が前記端子コンポ
ーネントに印加されるとき、前記メモリに印加される前記信号の電位を実質的に低下させ
るように構成されている、請求項１に記載の電動外科手術ツール。
【請求項３】
前記問い合わせ信号の前記周波数の半分の周波数未満の周波数の信号が前記端子コンポ
ーネントに印加されるとき、前記絶縁回路が前記メモリに印加される前記信号の前記電位
を実質的に低下させるようになっている、請求項２に記載の電動外科手術ツール。
【請求項４】
前記問い合わせ信号の前記周波数の２倍の周波数より大きい周波数の信号が前記端子コ
ンポーネントに印加されるとき、前記絶縁回路が前記メモリに印加される前記信号の前記
電位を実質的に低下させるようになっている、請求項２に記載の電動外科手術ツール。
【請求項５】
前記電力印加装置が組織のための印加を意図された少なくとも１つの電極（３４，３６
）であり、
導体（９２，９６，２１６）が、前記端子（８２，８４，２１０）に印加される前記信
号が前記少なくとも１つの電極に供給される際に伝わる少なくとも１つの端子から延在し
、
前記絶縁回路（９４，９８，２１８，２２０，３２１，３２２）が前記導体に接続され
ている、請求項１〜４のうちのいずれか１項に記載の電動外科手術ツール。
【請求項６】
発電機（４０４）が前記本体に搭載され、前記電力印加装置（４０６）が前記発電機に
接続され、前記発電機が、前記電力信号の印加に応じて、前記電力印加装置を起動するよ
うに構成され、
導体（４１４）が、前記端子（４１０）に印加される前記信号が中を通って前記発電機
に供給される少なくとも１つの端子から延在し、
前記絶縁回路（４３８，４４２）が前記導体に接続されている、請求項１〜５のいずれ
か一項に記載の電動外科手術ツール。
【請求項７】
複数の別個のメモリ（３０６，３１２，３１８，３５９，３６４，３７０，３７６）が
前記本体に取り付けられ、
少なくとも１つのスイッチ（３２４，３２６，３８４，３８６，３８８）が前記本体に
取り付けられ、前記メモリのうちの１つと、前記絶縁回路を介して、前記導体との間に接
続を選択的に確立している、請求項１〜６のいずれか一項に記載の電動外科手術ツール。
【請求項８】
少なくとも１つのスイッチ（４３０，４３２，４３４）が前記本体に取り付けられ、
制御回路（４２６）が前記本体に取り付けられ、前記制御回路は、前記スイッチの状態
を監視し、前記スイッチの前記状態に応答して、前記メモリの中のどのデータが前記メモ
リから書き出されるかを制御するように構成されている、請求項１〜７のいずれか一項に
記載の電動外科手術ツール。
【請求項９】
前記メモリが、前記問い合わせ信号が印加され、データが前記メモリから書き出される
１対の入力を含み、
前記絶縁回路が前記導体と前記メモリ入力の両端間とに接続されているインダクタを含
んでいる、請求項１〜８のいずれか一項に記載の電動外科手術ツール。
【請求項１０】
前記メモリが、前記問い合わせ信号が印加され、前記メモリからのデータが書き出される
少なくとも１つの入力を含み、
前記絶縁回路が、前記端子のうちの１つと前記メモリ入力との間に接続されているコン
デンサを含んでいる、請求項１〜９のいずれか一項に記載の電動外科手術ツール。
【請求項１１】
前記メモリが識別機器（４６０）の一部であり、
前記ツールが、生物学的パラメータまたはユーザ起動部分の状態を監視し、前記監視さ
れたパラメータまたは前記ユーザ起動部分の前記状態の関数として可変センサ信号を発生
するセンサ（４５８）を含み、
前記識別機器が前記センサ信号を受信し、前記端子コンポーネント（８２，８４）を介
して前記センサ信号に基づく信号を出力するように構成されている、請求項１〜１０のい
ずれか一項に記載の電動外科手術ツール。
【手続補正書】
【提出日】平成24年4月16日(2012.4.16)
【手続補正１】
【補正対象書類名】特許請求の範囲
【補正対象項目名】全文
【補正方法】変更
【補正の内容】
【特許請求の範囲】
【請求項１】
耳の組織箇所に装着することのできる、非侵襲型の生理学的センサ組立体において、
光を発する形態とされた少なくとも１つのエミッタと、
前記少なくとも１つのエミッタを位置決めする形態とされた第一のハウジングと、
前記センサ組立体の装着者の耳の組織により減衰された光を検出する形態とされた少なくとも１つの検出器と、
前記少なくとも１つの検出器を前記少なくとも１つのエミッタに対向する位置に配置する形態とされた第二のハウジングとを備え、
前記第一及び第二のハウジングは、前記少なくとも１つのエミッタ及び前記少なくとも１つの検出器の一方を耳の甲介内に位置決めし、前記少なくとも１つのエミッタ及び前記少なくとも１つの検出器の他方を耳の裏側に位置決めするようになされている、非侵襲型の生理学的センサ組立体。
【請求項２】
請求項１に記載のセンサ組立体において、前記第一のハウジングは、前記第二のハウジングよりも小さい形状を有する、センサ組立体。
【請求項３】
請求項１に記載のセンサ組立体において、前記第一の部分及び前記第二の部分は、耳の軟骨構造体に順応する形態とされる、センサ組立体。
【請求項４】
請求項１に記載のセンサ組立体において、前記第一のハウジング及び前記第二のハウジングを互いに機械的に連結するヒンジ部分を更に備える、センサ組立体。
【請求項５】
請求項４に記載のセンサ組立体において、前記第一のハウジングは、第一のアームを更に備え、前記第二のハウジングは、第二のアームを更に備え、前記第一及び第二のアームは、前記組織箇所から離れるように外方に湾曲して延びている、センサ組立体。
【手続補正書】
【提出日】平成24年5月2日(2012.5.2)
【手続補正１】
【補正対象書類名】特許請求の範囲
【補正対象項目名】全文
【補正方法】変更
【補正の内容】
【特許請求の範囲】
【請求項１】
プロテアーゼと、
生物静力学的に有効なフェノキシアルコールと、
の組み合わせを備える医療または歯科器具を洗浄するための組成物であって、
前記フェノキシアルコールは、前記合成の常用溶液濃度において、緑膿菌（ＡＴＣＣ  １５４４２）に対して選定されたフェノキシアルコールのＭＩＣを下回る濃度であり、
それにもかかわらず、前記組み合わせは、６ｌｏｇの濃度の緑膿菌（ＡＴＣＣ  １５４４２）を４時間以内に少なくとも１ｌｏｇ濃度減少させる効果があることを特徴とする組成物。
【請求項２】
プロテアーゼと、
緑膿菌（ＡＴＣＣ  １５４４２）に対してそのＭＩＣを下回る濃度の生物学的に有効なフェノキシアルコールと、
を含む医療または歯科器具を洗浄するための組成物であって、
当該組成物は、６ｌｏｇの濃度の緑膿菌（ＡＴＣＣ  １５４４２）を、４時間以内に少なくとも１ｌｏｇ濃度を減少させる効果があることを特徴する組成物。
【請求項３】
前記組み合わせが、６ｌｏｇの濃度のシュードモナス菌を、４時間以内に少なくとも２ｌｏｇ濃度減少させる効果があることを特徴とする請求項１または２に記載の組成物。
【請求項４】
プロテアーゼと、
黄色ブドウ球菌（ＡＴＣＣ  ６５３８）に対してそのＭＩＣを下回る濃度の生物学的に有効なフェノキシアルコールと、
を含む医療または歯科器具を洗浄するための組成物であって
当該組成物は、６ｌｏｇ濃度の黄色ブドウ球菌（ＡＴＣＣ  ６５３８）を、４時間以内に少なくとも１ｌｏｇ濃度減少させる効果があることを特徴とする組成物。
【請求項５】
前記組み合わせが、６ｌｏｇ濃度のブドウ球菌を４時間以内に少なくとも２ｌｏｇ濃度を減少させる効果があることを特徴とする請求項４に記載の組成物。
【請求項６】
前記組み合わせが、黄色ブドウ球菌（ＡＴＣＣ  ６５３８）に対して少なくとも効果があることを特徴とする請求項１〜３のいずれか一項に記載の組成物。
【請求項７】
選定されたフェノキシアルコールが、１０，０００ｐｐｍより高い濃度で存在するフェノキシエタノールであることを特徴とする請求項１〜６のいずれかに一項に記載の組成物。
【請求項８】
フェノキシエタノールが、１００対１より希釈したものを対象とした安定した濃縮物内に、３０，０００ｐｐｍ以上の濃度において存在することを特徴とする請求項４に記載の組成物。
【請求項９】
プロテアーゼと、
常用濃度に希釈する際に、フェノキシアルコールが、選定されたフェノキシアルコールの緑膿菌（ＡＴＣＣ  １５４４２）に対するＭＩＣ以下の濃度になるような所定濃度において生物静力学的に有効なフェノキシアルコールと、
を含み、
それにもかかわらず、常用濃度での組み合わせは、６ｌｏｇ濃度の緑膿菌（ＡＴＣＣ  １５４４２）を４時間以内に少なくとも１ｌｏｇ濃度を減少させる効果があることを特徴とする濃縮物。
【請求項１０】
プロテアーゼと、
希釈する際に請求項１〜９のいずれかに記載の組成物を提供する生物静力学的に有効なフェノキシアルコールと、
を含むことを特徴とする濃縮物。
【請求項１１】
フェノキシアルコールが、フェノキシエタノールであって、１０，０００ｐｐｍを上回る濃度で濃縮物内に存在することを特徴とする請求項９または１０に記載の濃縮物。
【請求項１２】
フェノキシアルコールが、フェノキシエタノールであって、３０，０００ｐｐｍを上回る濃度で濃縮物内に存在することを特徴とする請求項１１に記載の濃縮物。
【請求項１３】
当該濃縮物が、使用前に１００対１より薄く希釈することを意図されることを特徴とする請求項９〜１２のいずれか一項に記載の濃縮物。
【請求項１４】
１つ以上の加水分解酵素をさらに含むことを特徴とする請求項９〜１３のいずれか一項に記載の濃縮物。
【請求項１５】
ホウ素またはホウ素化合物をさらに含むことを特徴とする請求項９〜１４のいずれか一項に記載の濃縮物。
【請求項１６】
感染性プリオンタンパク質を非感染性ペプチドに間裂することができることを特徴とする請求項９〜１５のいずれか一項に記載の濃縮物。
【請求項１７】
超音波槽内で使用されることを特徴とする請求項１〜８のいずれか一項に記載の組成物。
【請求項１８】
汚れた医療または歯科器具を洗浄する方法であって、
請求項１〜１０のいずれか一項に記載の組成物に汚れを露出するステップを備えることを特徴とする方法。
【請求項１９】
超音波槽内で使用されることを特徴とする請求項９〜１６のいずれか一項に記載の組成物。
【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2011519999.tif 000001
［式中、Ｒ1およびＲ2は、水素およびメチルであり、かつＲ3は、水素、Ｃ1〜Ｃ18−アルキル、Ｃ5〜Ｃ8−シクロアルキル、Ｃ6〜Ｃ10−アリール、Ｃ6〜Ｃ10−アリール−Ｃ1〜Ｃ4−アルキルを意味し、その際、これらの基は、Ｃ1〜Ｃ4−アルコキシおよびハロゲンから成る群から選択された基で３回まで置換されていてよい］の単位を含有する、反応押出機中で自体公知のイミド化反応において製造されたポリマーＰＭから成る、改善された光学的特性および色特性を有する成形材料ＦＭの製造法であって、その際、前記ポリマーＰＭに、前記イミド化反応の終了後に、色安定化に有効な量の１つ以上の還元作用を示すリン化合物Ｐを添加する、前記成形材料ＦＭの製造法において、前記リン化合物が、式（ＩＩ）
【化２】
2011519999.tif 000002
［式中、Ｒ4およびＲ5は、互いに無関係に、水素または芳香族６員環を意味し、該芳香族６員環は、Ｃ1〜Ｃ4−アルキルおよび／またはＣ5〜Ｃ8−シクロアルキル基で５回まで置換されていてよい］の化合物から成る群から選択された有機リン化合物ＯＰであることを特徴とする方法。
【請求項２】
前記還元作用を示す有機リン化合物ＡＰを、前記ポリマーＰＭに対して、０．００５〜１質量％、好ましくは０．１質量％より少なくかつ少なくとも０．００５質量％の量で添加することを特徴とする、請求項１記載の方法。
【請求項３】
前記還元作用を示す有機リン化合物ＡＰを、前記ポリマーＰＭに対して、０．３質量％かつ少なくとも０．００５質量％の量で添加することを特徴とする、請求項１記載の方法。
【請求項４】
前記還元作用を示す有機リン化合物ＯＰがベンゼンホスフィン酸であることを特徴とする、請求項１から３までのいずれか１項記載の方法。
【請求項５】
前記還元作用を示す有機リン化合物が、ベンゼンホスフィン酸ナトリウムと混合されたベンゼンホスフィン酸であることを特徴とする、請求項１から３までのいずれか１項記載の方法。
【請求項６】
前記還元作用を示す有機リン化合物を、アルコール溶液、好ましくはメタノール溶液および／またはエタノール溶液に添加することを特徴とする、請求項１から５までのいずれか１項記載の方法。
【請求項７】
前記還元作用を示す有機リン化合物ＡＰを、粒子形で存在する前記ポリマーＰＭに、好ましくはキャビティ・トランスファー・ミキサーによる混合によって添加することを特徴とする、請求項１から６までのいずれか１項記載の方法。
【請求項８】
前記還元作用を示す有機リン化合物ＡＰを、揮発性成分が取り除かれた前記ポリマーＰＭの溶融物に添加することを特徴とする、請求項１から７までのいずれか１項記載の方法。
【請求項９】
前記還元作用を示す有機リン化合物ＡＰを、前記反応押出機に後接続されたベント式押出機中に連続的に添加することを特徴とする、請求項８記載の方法。
【請求項１０】
請求項１から９までのいずれか１項記載の成形材料ＦＭから得られる成形体ＦＫ。
【請求項１１】
２未満の黄色度を有することを特徴とする、請求項１０記載の成形体ＦＫ。
【請求項１２】
１．５％未満のヘーズを有することを特徴とする、請求項１１記載の成形体ＦＫ。
【請求項１３】
１％未満のヘーズを有することを特徴とする、請求項１２記載の成形体ＦＫ。
【請求項１４】
８９％超〜９２％の範囲の透明度を有することを特徴とする、請求項１０から１３までのいずれか１項記載の成形体ＦＫ。
【請求項１５】
９０．５％超〜９２％の範囲の透明度を有することを特徴とする、請求項１０から１３までのいずれか１項記載の成形体ＦＫ。
【請求項１６】
光導波体であることを特徴とする、請求項１０から１５までのいずれか１項記載の成形体ＦＫ。
【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
複合構造体用の未硬化プレプレグ複合材料であって、
（ａ）少なくとも１層の繊維層と、
（ｂ）熱硬化性樹脂と、少なくとも１種の硬化剤と、少なくとも３グラム／デニールのテナシティおよび０．０１〜１００マイクロメートルの体積平均長さを有する繊維ミクロパルプ０．０５〜１０．０重量％とを含む、プリプレグを形成するために前記繊維層と組み合わされた樹脂と
を含む未硬化プレプレグ複合材料。
【請求項２】
請求項１に記載のプレプレグを含む硬化複合材料構造体。
【請求項３】
熱硬化性樹脂と、少なくとも１種の硬化剤と、少なくとも３グラム／デニールのテナシティおよび０．０１〜１００マイクロメートルの体積平均長さを有する繊維ミクロパルプ０．０５〜１０．０重量％とを含む、複合構造体のための未硬化フィルム接着剤。
【請求項４】
請求項３に記載のフィルム接着剤を含む硬化複合材料構造体。
【請求項５】
熱硬化性樹脂と、少なくとも１種の硬化剤と、少なくとも３グラム／デニールのテナシティおよび０．０１〜１００マイクロメートルの体積平均長さを有する繊維ミクロパルプ０．０５〜１０．０重量％とを含む、複合構造体のための末硬化液体樹脂または末硬化ペースト樹脂。
【請求項６】
請求項５に記載の液体樹脂またはペースト樹脂を含む硬化複合材料構造体。
【請求項７】
熱硬化性樹脂と、少なくとも１種の硬化剤と、少なくとも３グラム／デニールのテナシティおよび０．０１〜１００マイクロメートルの体積平均長さを有する繊維ミクロパルプ０．０５〜１０．０重量％とを含むプレプレグ樹脂と繊維層を組み合わせる工程を含むプレプレグを製造する方法。
【請求項８】
ハニカムサンドイッチパネルを製造する方法であって、請求項１に記載のプレプレグをハニカムの両面に取り付ける工程と、前記プレプレグを硬化させて、前記ハニカムサンドイッチパネルを形成する工程とを含む方法。
【手続補正２】
【補正対象書類名】明細書
【補正対象項目名】００４１
【補正方法】変更
【補正の内容】
【００４１】
実施例１および比較例１からの試験クーポンを、温度および相対湿度が制御された試験チャンバ内で流体浸漬に供することが可能である。浸漬の前後にサンプルを秤量する。重量差は、吸収された流体の量を表す。流体バリアプレプレグフェースシートを含有するパネルは流体進入がより少ない。一体式構造体からのクーポンをＡＳＴＭ５２２９に準拠して試験できる一方で、ハニカム構造体の場合、適する試験手順は、Ｊｏｕｒｎａｌ  ｏｆ  Ｍａｔｅｒｉａｌｓ  Ｅｎｇｉｎｅｅｒｉｎｇ  ａｎｄ  Ｐｅｒｆｏｒｍａｎｃｅ，Ｖｏｌｕｍｅ６（６），７３２、Ｄｅｃｅｍｂｅｒ  １９９７におけるＣｉｓｅ  ｅｔ．ａｌ．による「Ｍｏｉｓｔｕｒｅ  Ｉｎｇｒｅｓｓｉｏｎ  ｉｎ  Ｈｏｎｅｙｃｏｍｂ  Ｃｏｒｅ  Ｓａｎｄｗｉｃｈ  Ｐａｎｅｌｓ」に記載されている。
次に、本発明の態様を示す。
1.  複合構造体用の未硬化プレプレグ複合材料であって、
（ａ）少なくとも１層の繊維層と、
（ｂ）熱硬化性樹脂と、少なくとも１種の硬化剤と、少なくとも３グラム／デニールのテナシティおよび０．０１〜１００マイクロメートルの体積平均長さを有する繊維ミクロパルプ０．０５〜１０．０重量％とを含む、プリプレグを形成するために前記繊維層と組み合わされた樹脂と
を含む未硬化プレプレグ複合材料。
2.  上記１に記載のプレプレグを含む硬化複合材料構造体。
3.  ハニカムコアを更に含む上記２に記載の複合材料構造体。
4.  熱硬化性樹脂と、少なくとも１種の硬化剤と、少なくとも３グラム／デニールのテナシティおよび０．０１〜１００マイクロメートルの体積平均長さを有する繊維ミクロパルプ０．０５〜１０．０重量％とを含む、複合構造体のための未硬化フィルム接着剤。
5.  上記４に記載のフィルム接着剤を含む硬化複合材料構造体。
6.  熱硬化性樹脂と、少なくとも１種の硬化剤と、少なくとも３グラム／デニールのテナシティおよび０．０１〜１００マイクロメートルの体積平均長さを有する繊維ミクロパルプ０．０５〜１０．０重量％とを含む、複合構造体のための末硬化液体樹脂または末硬化ペースト樹脂。
7.  上記６に記載の液体樹脂またはペースト樹脂を含む硬化複合材料構造体。
8.  熱硬化性樹脂と、少なくとも１種の硬化剤と、少なくとも３グラム／デニールのテナシティおよび０．０１〜１００マイクロメートルの体積平均長さを有する繊維ミクロパルプ０．０５〜１０．０重量％とを含むプレプレグ樹脂と繊維層を組み合わせる工程を含むプレプレグを製造する方法。
9.  ハニカムサンドイッチパネルを製造する方法であって、上記１に記載のプレプレグをハニカムの両面に取り付ける工程と、前記プレプレグを硬化させて、前記ハニカムサンドイッチパネルを形成する工程とを含む方法。
【手続補正書】
【提出日】平成24年2月8日(2012.2.8)
【手続補正１】
【補正対象書類名】特許請求の範囲
【補正対象項目名】全文
【補正方法】変更
【補正の内容】
【特許請求の範囲】
【請求項１】
接着剤配合物であって、
（ａ）約５０から９９重量部の感圧性接着剤、及び
（ｂ）約１から５０重量部の非粘着性エラストラメリック微小球を含み、前記微小球が
（１）約５０から９９重量部の、重量部約１から１４の炭素原子を有するアルキル（メタ）アクリレートモノマー、
（２）約１から５０重量部の、ジ（メタ）アクリレート、トリ（メタ）アクリレート、テトラ（メタ）アクリレート、ジビニルベンゼン、及びそれらの組み合わせ物からなる群から選択される多官能性架橋剤、
（３）約０．０１から４．０重量％の反応開始剤、及び
（４）約０．０１から３重量％の重合安定剤、からなる反応生成物を含み、
また、構成成分（ｂ）（１）及び（ｂ）（２）の重量部は総量１００部に等しく、かつ（ｂ）（３）及び（ｂ）（４）は構成成分（ｂ）（１）及び（ｂ）（２）の総重量を基準にした重量％である、接着剤配合物。
【請求項２】
（Ａ）前記アルキル（メタ）アクリレートモノマーが、イソオクチルアクリレート、イソノニル（メタ）アクリレート、イソアミル（メタ）アクリレート、イソデシル（メタ）アクリレート、２−エチルアクリレートヘキシル、ｎ−ブチル（メタ）アクリレート、ｓｅｃ−ブチル（メタ）アクリレート、プロピル（メタ）アクリレート、エチル（メタ）アクリレート、メチル（メタ）アクリレート、イソボルニル（メタ）アクリレート、４−メチル−２−ペンチル（メタ）アクリレート、２−メチルブチル（メタ）アクリレート、ｔ−ブチル（メタ）アクリレート、及びそれらの組み合わせ物からなる群から選択される、
（Ｂ）前記感圧性接着剤が再配置可能な接着剤である、
（Ｃ）感圧性接着剤が、（ｉ）粘着性微小球配合物、及び少なくともひとつのアクリルアミド系部分を含む接着剤バインダー、（ｉｉ）水系粘着性微小球、（ｉｉｉ）溶媒系粘着性微小球、及びそれらの組み合わせ物からなる群から選択される、
（Ｄ）重合安定剤が、ポリアクリルアミドである、
（Ｅ）多官能性架橋剤が、１、６−ヘキサンジオール、ジ（メタ）アクリレート、ブタンジオールジ（メタ）アクリレート、ポリ（エチレングリコール）、ジ（メタ）アクリレート、ポリブタジエンジ（メタ）アクリレート、ポリウレタンジ（メタ）アクリレート、プロポキシル化グリセリントリ（メタ）アクリレート、ジビニルベンゼン、それらの組み合わせ物からなる群から選択される、
のうち少なくとも１つを特徴とする、請求項１に記載の接着剤配合物。
【請求項３】
接着剤コーティングを形成するためシート第一表面の少なくとも一部上にコーティングされ、前記シートが紙、プラスティックフィルム、織物、合成又は天然材料の不織繊維、金属、金属化プラスティックフィルム、及びセラミックシートからなる群から選択されるシートであり、非粘着性微小球の平均直径が接着剤コーティングの厚さよりも大きい、請求項１に記載の接着剤配合物。
【請求項４】
複数のシートを含むパッドであり、それぞれのシートが対峙する第一及び第二表面、対峙する第一及び第二の周辺部エッジを有しており、請求項１の接着剤配合物のバンドが、周辺部エッジのひとつに隣接するシートの第二表面上にコーティングされている、パッド。
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
キバナオウギ（Ａｓｔｒａｇａｌｕｓ  ｍｅｍｂｒａｎａｃｅｕｓ）、ナイモウオウギ（Ａｓｔｒａｇａｌｕｓ  ｍｏｎｇｈｏｌｉｃｕｓ）、ハナスゲ（Ａｎｅｍａｒｒｈｅｎａｅ  ａｓｐｈｏｄｅｌｏｉｄｅｓ）およびイノコズチ（Ａｃｈｙｒａｎｔｈｅｓ  ｂｉｄｅｎｔａｔａ）の抽出物の治療上有効な量を含み、ここで該抽出物が少なくとも１つの植物化学物質を含む、組成物。
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
下記(a)および(b)を含んでなる、ガンの治療のための組み合わせ：
（ａ）式Ａの化合物：
【化１】
2011519941.tif 000001
（式中、
Ｒ１は、Ｃ１−Ｃ６アルキルであり、
Ｒ２は、Ｃ１−Ｃ６アルキルまたは−（ＣＨ２）ｎ−Ｎ（Ｒ５）２であり、
Ｒ３は、ＣｌまたはＦであり、
Ｒ４は、ＣｌまたはＦであり、
Ｒ５のそれぞれは、独立して、Ｃ１−Ｃ６アルキルであるか、またはそれらが結合している窒素原子とともに、モルホリノ、ピペリジニル、またはピラジニル基を形成し、
ｎは、２、３、または４であり、
ｐは、０または１であり、
ｑは、０、１、または２である）
またはその薬学上許容される塩、
（ｂ）ｅｒｂＢ−１、ｅｒｂＢ−２、もしくはｅｒｂＢ−３受容体またはそれらの組み合わせを阻害するｅｒｂＢ阻害剤。
【請求項２】
ｑが０または１であり、Ｒ１がメチルである、請求項１に記載の組み合わせ。
【請求項３】
式Ａの化合物が下記式Ｉの化合物：
【化２】
2011519941.tif 000002
またはその薬学上許容される塩により表されるものである、請求項１または２のいずれか一項に記載の組み合わせ。
【請求項４】
前記ｅｒｂＢ阻害剤が下記式ＩＩの化合物：
【化３】
2011519941.tif 000003
またはその薬学上許容される塩である、請求項１〜３のいずれか一項に記載の組み合わせ。
【請求項５】
前記ｅｒｂ阻害剤が、式ＩＩの化合物のジトシル酸塩またはジトシル酸塩一水和物である、請求項４に記載の組み合わせ。
【請求項６】
前記ｅｒｂＢ阻害剤が、下記式ＩＩＩの化合物：
【化４】
2011519941.tif 000004
またはその薬学上許容される塩である、請求項１〜３のいずれか一項に記載の組み合わせ。
【請求項７】
前記ｅｒｂＢ阻害剤が下記式ＩＶの化合物である、請求項１〜３のいずれか一項に記載の組み合わせ。
【化５】
2011519941.tif 000005
【請求項８】
前記ｅｒｂＢ阻害剤がトラスツズマブである、請求項１〜３のいずれか一項に記載の組み合わせ。
【請求項９】
前記ｅｒｂＢ阻害剤がセツキシマブである、請求項１〜３のいずれか一項に記載の組み合わせ。
【請求項１０】
前記ｅｒｂＢ阻害剤がモノクローナル抗ヒトｅｒｂＢ３抗体である、請求項１〜３のいずれか一項に記載の組み合わせ。
【請求項１１】
前記ガンが、胃ガン、肺ガン、食道ガン、頭頸部ガン、皮膚ガン、表皮ガン、卵巣ガン、または乳ガンである、請求項１〜１０のいずれか一項に記載の組み合わせ。
【請求項１２】
薬学上許容される賦形剤が、式Ａの化合物もしくはその薬学上許容される塩、またはｅｒｂＢ阻害剤、またはその組み合わせに含まれる、請求項１〜１１のいずれか一項に記載の組み合わせ。
【請求項１３】
ｅｒｂＢ阻害剤と組み合わせて用いるための、治療上有効な量の下記式Ｉの化合物：
【化６】
2011519941.tif 000006
またはその薬学上許容される塩を含んでなる、治療剤。
【請求項１４】
乳ガンの治療のための、請求項１３に記載の治療剤。
【請求項１５】
頭頸部ガンの治療のための、請求項１３に記載の治療剤。
【請求項１６】
薬学上許容される賦形剤が、式Ａの化合物もしくはその薬学上許容される塩、またはｅｒｂＢ阻害剤に含まれる、請求項１３〜１５のいずれか一項に記載の治療剤。
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
ミルク試料からアンギオゲニン濃縮生成物を得る方法であって、
（I）
（ａ）アンギオゲニンと相互作用する抗体を固定化した支持体にミルク試料を添加し、ここでミルク試料に存在するアンギオゲニンが支持体上の抗体と相互作用してアンギオゲニン−抗体複合体を生成する工程、
（ｂ）前記抗体と相互作用しないミルク試料に存在する成分を前記支持体から洗い落すことにより、ミルク試料から前記複合体を分離する工程、
（ｃ）前記複合体中の抗体からアンギオゲニンを遊離させる工程、及び
（ｄ）工程（ｃ）からアンギオゲニンを回収し、アンギオゲニン濃縮生成物を得る工程を含む方法；
（II）
（ａ）ミルク試料に存在するアンギオゲニンが抗体と相互作用してアンギオゲニン−抗体複合体を生成するように、ミルク試料をアンギオゲニン抗体に接触させる工程、
（ｂ）前記複合体をミルク試料から分離する工程、
（ｃ）前記複合体中の抗体からアンギオゲニンを遊離させる工程、及び
（ｄ）工程（ｃ）からアンギオゲニンを回収し、アンギオゲニン濃縮生成物を得る工程を含む方法；
（III）
（ａ）液相のミルク試料を、前記ミルク試料の成分をそのサイズに基づいて分離可能な第二の相に添加する工程、及び
（ｂ）前記ミルク試料の他の成分から分離されたアンギオゲニンを回収することにより、アンギオゲニン濃縮生成物を得る工程を含む方法；
（IV）
（ａ）液相のミルク試料を、前記ミルク試料の成分をそのサイズに基づいて分画に分離可能な第二の相に添加する工程、及び
（ｂ）これらアンギオゲニンを含む分画を同定し、該分画を回収することによってアンギオゲニン富化産物を得る工程を含む方法；又は、
（V）
（ａ）流れている水性ミルク試料にミルク流を横断する方向に電場を印加する工程、
（ｂ）電場が印加されたミルク流の分画を回収する工程、及び
（ｃ）これらアンギオゲニンに関して富化された分画を同定し、該分画を回収することによってアンギオゲニン富化産物を得る工程を含む方法であり、
（I）、（II）、（III）、（IV）及び（V）の方法中の工程（ａ）に先立ち、前記ミルク試料を少なくとも１分間７０℃超に加熱する方法。
【請求項２】
方法（II）において前記抗体は支持体に固定化されている、請求項１に記載の方法。
【請求項３】
方法（III）において、前記第二の相は半透過性相である、請求項１に記載の方法。
【請求項４】
方法（III）において、前記ミルク試料はシリンジ、圧縮ガス、ポンプ、遠心力又はそれらの組み合わせによって加えられる力によって前記半透過性相を強制透過させられる、請求項１に記載の方法。
【請求項５】
方法（III）において、前記第二の相は半透過性膜である、請求項１に記載の方法。
【請求項６】
方法（IV）において、前記第二の相はサイズ排除樹脂である、請求項１に記載の方法。
【請求項７】
方法（V）において、前記方法は変性条件下で行い、及び又は前記水性ミルク流はｐＨ勾配をもたらす緩衝液媒体中で行う、請求項１に記載の方法。
【請求項８】
前記勾配はｐＨ８〜１１の範囲である、請求項７に記載の方法。
【請求項９】
さらに前記アンギオゲニン濃縮生成物を一以上のアンギオゲニン濃縮工程に付す工程を含む、請求項１〜８のいずれかに記載の方法。
【請求項１０】
前記一以上のアンギオゲニン濃縮工程は、カチオン交換クロマトグラフィー、フリーフロー電気泳動を含む電気泳動、サイズ排除クロマトグラフィー及び限外濾過からなる群から選択される、請求項９に記載の方法。
【請求項１１】
前記ミルク試料は全乳、スキムミルク、バターミルク、ホエイ、ホエイ分画及び初乳から選択される、請求項１〜１０のいずれかに記載の方法。
【請求項１２】
請求項１〜１１のいずれかに記載の方法によって得られたアンギオゲニン濃縮生成物を含む食品用物質、栄養補助食品、医薬品又は獣医学品。
【請求項１３】
スポーツ栄養サプリメント又は食品サプリメント、或いは幼児、アスリート、高齢者又は虚弱者用の食品サプリメントである、請求項１２に記載の食品用物質。
【請求項１４】
請求項１〜１１のいずれかに記載の方法によって得られたアンギオゲニン濃縮生成物を含む医薬組成物又は獣医学組成物。
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
(a)副腎皮質ステロイド薬剤を含むコアを含む徐放成分であって、前記コアが、酸を含む層でコーティングされており、前記酸含有層が、アルカリ含有エチルセルロースを含む層でコーティングされている徐放成分と、
(b)経口投与の後で、組成物が腸に到達するまで前記徐放成分の放出を実質的に防止する遅延放出成分と
を含む、腸内での副腎皮質ステロイド薬剤の除放を提供するための、経口ドラッグデリバリー組成物。
【請求項２】
薬剤がブデソニドである、請求項1に記載の組成物。
【請求項３】
アンモニア含有エチルセルロース物質を含む、請求項1または2に記載の組成物。
【請求項４】
アルカリ含有エチルセルロースを含む層が、マンニトール、デキストロース、スクロース、ポリエチレングリコール、ヒドロキシプロピルメチルセルロース、ヒドロキシプロピルセルロース、メチルセルロース、トリアセチンおよびポリビニルアルコールから選択される水溶性物質をさらに含む、請求項1から3のいずれか一項に記載の組成物。
【請求項５】
酸が有機酸である、請求項1から4のいずれか一項に記載の組成物。
【請求項６】
徐放成分が、コーティングされた薬剤粒子、コーティングされたペレット、コーティングされた顆粒剤またはコーティング錠を含む、請求項1から5のいずれか一項に記載の組成物。
【請求項７】
徐放成分が、カプセル内に含有されている、請求項1から6のいずれか一項に記載の組成物。
【請求項８】
カプセルが、デンプンカプセルである、請求項7に記載の組成物。
【請求項９】
デンプンカプセルが、遅延放出成分(b)でコーティングされている、請求項7または8に記載の組成物。
【請求項１０】
消化管の炎症性疾患の治療のための、または糸球体腎炎の治療のための、請求項1から9のいずれか一項に記載の組成物。
【請求項１１】
糸球体腎炎の治療のための、薬剤放出が2〜6時間に亘って持続するように適合させた、請求項10に記載の組成物。
【請求項１２】
クローン病または潰瘍性大腸炎を治療するための、請求項10に記載の組成物。
【請求項１３】
アルカリ含有エチルセルロースが、前記徐放成分の1から10重量％の量で徐放成分中に存在する、請求項1から12のいずれか一項に記載の組成物。
【請求項１４】
(a)副腎皮質ステロイド薬剤を含むコアを含む徐放成分であって、前記コアが、酸を含む層でコーティングされており、前記酸含有層が、アルカリ含有エチルセルロースを含む層でコーティングされている徐放成分と、
(b)経口投与後に組成物が腸に到達するまで徐放成分の放出を実質的に防止する遅延放出成分の、
消化管の炎症性疾患の治療のための薬剤の製造における、または糸球体腎炎の治療のための薬剤の製造における、使用。
【請求項１５】
薬剤が、クローン病または潰瘍性大腸炎の治療のためのものである、請求項14に記載の使用。
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
アンギオゲニンを含有する組成物、食品サプリメント又は栄養補助食品を投与することを特徴とする、アンギオゲニンが筋肉の成長を促進し、筋肉成長の促進、筋肉の使用からの回復、筋力の改善、運動耐容能の改善、個体における筋肉の比率の増加、個体における脂肪の低減、又は個体における脂肪対筋肉比の低下の非治療的方法。
【請求項２】
前記組成物、食品サプリメント又は栄養補助食品がさらにフォリスタチンを含有する請求項１の方法。
【請求項３】
アンギオゲニンをフォリスタチンとともに投与する請求項１記載の方法。
【請求項４】
アンギオゲニンを含有し、アンギオゲニンが筋肉成長を促進し、ホスホリラーゼ欠損（ＭＰＤ又はＰＹＧＭ）、酸マルターゼ欠損（ＡＭＤ）、ホスホフルクトキナーゼ欠損（ＰＦＫＭ）、脱分岐酵素欠損（ＤＢＤ）、ミトコンドリア・ミオパシー（ＭＩＴＯ）、カルニチン欠損（ＣＤ）、カルニチンパルミチールトランスフェラーゼ欠損（ＣＰＴ）、ホスホグリセリン酸キナーゼ欠損（ＰＧＫ）、ホスホグリセリン酸ムターゼ欠損（ＰＧＡＭ又はＰＧＡＭＭ）、乳酸脱水素酵素欠損（ＬＤＨＡ）、ミオアデニル酸デアミナーゼ欠損（ＭＡＤ）、インスリン依存型（１型）糖尿病、インスリン非依存型（２型）糖尿病、高血糖、耐糖能異常、メタボリック症候群、シンドロームＸ、外傷若しくは脂肪組織障害若しくは肥満により誘導されるインスリン抵抗性、筋肉及び神経筋障害、筋ジストロフィー、重度若しくは良性Ｘ連鎖筋ジストロフィー、肢帯型筋ジストロフィー、顔面肩甲上腕型筋ジストロフィー、筋緊張性ジストロフィー、遠位型筋ジストロフィー、進行性ジストロフィー型眼筋麻痺、眼咽頭筋ジストロフィー、デュシェンヌ型筋ジストロフィー及び福山型先天性筋ジストロフィー；筋萎縮性側索硬化症（ＡＬＳ）；筋萎縮症；臓器萎縮；虚弱；手根管症候群；鬱血性閉塞性肺疾患；先天性ミオパシー；先天性筋強直症；家族性周期性麻痺；発作性ミオグロビン尿症；重症筋無力症；イートン・ランバート症候群；二次性筋無力症；脱神経筋萎縮；発作性筋萎縮症；並びにサルコペニア、カヘキシア、他の筋消耗症候群、骨粗鬆症（特に高齢者及び／又は閉経後の女性）；糖質コルチロイドに起因する骨粗鬆症；骨減少症：変形性関節症；骨粗鬆症が関与する骨折；筋肉組織への外傷的又は慢性的傷害、長期の糖質コルチロイド療法に起因する低骨量、早発性腺機能不全、アンドロゲン抑制、ビタミンＤ欠乏症、二次性副甲状腺機能亢進症、栄養欠乏症及び神経性食欲不振症から選択される疾患の治療用組成物、食品サプリメント又は栄養補助食品。
【請求項５】
前記アンギオゲニンはウシ由来である、請求項４に記載の組成物、食品サプリメント又は栄養補助食品。
【請求項６】
前記アンギオゲニンはウシ乳からの抽出物である、請求項４に記載の組成物、食品サプリメント又は栄養補助食品。
【請求項７】
前記アンギオゲニンは、経口投与され、ミルク又は血漿由来のアンギオゲニン富化抽出物である、請求項４記載の組成物、食品サプリメント又は栄養補助食品。
【請求項８】
アンギオゲニンとともにフォリスタチンを投与する請求項４〜７のいずれかに記載の組成物、食品サプリメント又は栄養補助食品。
【手続補正書】
【提出日】平成24年4月5日(2012.4.5)
【手続補正１】
【補正対象書類名】明細書
【補正対象項目名】０００１
【補正方法】変更
【補正の内容】
【０００１】
本発明は、カーボンナノチューブ（以下、省略のためＣＮＴとも称する）で強化され、および少なくとも１つの不飽和ポリエステル樹脂（省略のためＵＰ樹脂と称する）および少なくとも１つのラジカル重合性ビニルモノマーを含み、該カーボンナノチューブが不飽和ポリエステル樹脂に共有結合している硬化性成形性組成物に関する。
【手続補正２】
【補正対象書類名】明細書
【補正対象項目名】００３１
【補正方法】変更
【補正の内容】
【００３１】
カーボンナノチューブを、完成化合物中に、特に、ポリマーおよびカーボンナノチューブの混合物を基準として０．０１〜１０重量％、好ましくは０．１〜５重量％の量で用いる。マスターバッチ中では、カーボンナノチューブの濃度は必要に応じてより高い。
【手続補正３】
【補正対象書類名】明細書
【補正対象項目名】００６７
【補正方法】変更
【補正の内容】
【００６７】
ジオール中に分散した、工程１において変性したＣＮＴ、および不飽和カルボン酸またはその無水物からなる、反応混合物（工程２）の縮合反応による不飽和ポリエステルの製造（これは、カーボンナノチューブを不飽和ポリエステルに共有的に結合する働きをする）。このような結合は、成形性組成物中でＣＮＴのより良好な分布をもたらし、硬化成形体のポリマーネットワーク中にＣＮＴのしっかりした結合をもたらす。これらは、成形体の機械特性において実質的な向上を得るための最良の条件である。
【手続補正４】
【補正対象書類名】明細書
【補正対象項目名】００６８
【補正方法】変更
【補正の内容】
【００６８】
反応混合物の全重量を基準として、０．００１〜１重量％の量で変性工程１において変性したＣＮＴを、ジオール中に、例えば超音波粉砕機（例えばＢｒａｎｓｏｎ製）を用いて極めて微細に懸濁する。超音波への暴露を特にいくつかの工程において行い、この粉砕は分散体を冷却する働きをする。超音波に暴露する間、分散体の連続的な冷却をさらに確保する。不十分な量、特に５％の不十分な量の不飽和二価カルボン酸の無水物を、得られる安定性懸濁液に添加し、これは窒素で特に８０℃にてフラッシュする。次いで、例えば１００℃での１６時間までの予備縮合後、懸濁液を、水分離器を用いて特に数時間、高温で、例えば５時間、１９０℃で撹拌する。
【手続補正５】
【補正対象書類名】特許請求の範囲
【補正対象項目名】全文
【補正方法】変更
【補正の内容】
【特許請求の範囲】
【請求項１】
不飽和ポリエステル、１以上のラジカル硬化性ビニル化合物、重合開始剤およびカーボンナノチューブに基づく反応樹脂であって、該カーボンナノチューブが該不飽和ポリエステルに共有結合していることを特徴とする、反応樹脂。
【請求項２】
不飽和ポリエステルは、
ａ）α，β−不飽和酸成分、
ｂ）１以上の多価アルコール、および
ｃ）１以上のカルボン酸基またはアルコール基を有する変性カーボンナノチューブ
の単位から構成されることを特徴とする、請求項１に記載の反応樹脂。
【請求項３】
ラジカル硬化性ビニル化合物は、群：スチレン、α−メチルスチレン、ビニルトルエン、メチルメタクリレート、酢酸ビニル、ジアリルフタレートおよび／またはジアリルイソフタレートから選択される少なくとも１つの化合物であることを特徴とする、請求項１または２に記載の反応樹脂。
【請求項４】
樹脂は、５〜７０重量％、好ましくは３０〜６０重量％のラジカル硬化性ビニル化合物を含有することを特徴とする、請求項３に記載の反応樹脂。
【請求項５】
不飽和ポリエステルは、群：シトラコン酸、フマル酸、イタコン酸、メサコン酸およびマレイン酸またはこれらの無水物またはアルキルエステル、好ましくはフマル酸、マレイン酸および無水マレイン酸からの少なくとも１つのα，β−不飽和酸成分から構成されることを特徴とする、請求項１〜４のいずれかに記載の反応樹脂。
【請求項６】
カーボンナノチューブの含量は、３重量％以下、好ましくは１重量％以下、特に好ましくは０．２重量％以下、さらに特に好ましくは０．０５重量％以下であることを特徴とする、請求項１〜５のいずれかに記載の反応樹脂。
【請求項７】
多価アルコールは、群：直鎖および／または分枝状の脂肪族および／または脂環式および／または芳香族ジオールおよび／またはポリオール、特にエチレングリコール、１，２−および／または１，３−プロパンジオール、１，２−および／または１，４−ブタンジオール、１，３−ブチルエチルプロパンジオール、１，３−メチルプロパンジオール、１，５−ペンタンジオール、１，６−ヘキサンジオール、ジエチレン、トリエチレン、テトラエチレングリコール、シクロヘキサンジメタノール、グリセロール、ネオペンチルグリコール、トリメチロールエタン、トリメチロールプロパン、ペンタエリトリトール、ビスフェノールＡ、ビスフェノールＢ、ビスフェノールＣ、ビスフェノールＦ、ネオボルニレングリコール、１，４−ベンジルジメタノールおよび１，４−ベンジルジエタノール、特に好ましくはブタンジオールから選択されることを特徴とする、請求項２〜６のいずれかに記載の反応樹脂。
【請求項８】
カーボンナノチューブは、ポリエステルと少なくとも部分的に共有結合する、基−ＯＨおよび−ＣＯＯＨからの酸素含有基で官能基化されていることを特徴とする、請求項２〜７のいずれかに記載の反応樹脂。
【請求項９】
カーボンナノチューブの官能基−ＯＨおよび／または−ＣＯＯＨの割合は、少なくとも５モル％、好ましくは少なくとも１０モル％であることを特徴とする、請求項１〜８のいずれかに記載の反応樹脂。
【請求項１０】
樹脂は、０．１〜４重量％、好ましくは０．２〜２重量％の重合開始剤を含有することを特徴とする、請求項１〜９のいずれかに記載の反応樹脂。
【請求項１１】
樹脂は、２０〜９０重量％、好ましくは３０〜８０重量％、特に好ましくは５０〜７５重量％の、共有結合カーボンナノチューブを含有する不飽和ポリエステルを含有することを特徴とする、請求項１〜１０のいずれかに記載の反応樹脂。
【請求項１２】
カーボンナノチューブが、１以上のカルボン酸基またはアルコール基により酸化によって官能基化され、該官能基化カーボンナノチューブを、不飽和酸成分、特にマレイン酸、フマル酸または無水マレイン酸と混合した１以上の多価アルコール、特にジオール中に分散し、不飽和ポリエステルに凝縮し、該官能基化カーボンナノチューブを該ポリエステル中に共有結合し、該ポリエステルに、以下の群：スチレン、メチルスチレン、メチルメタクリレート、酢酸ビニル、ジアリルフタレートおよびジアリルイソフタレートから選択された１以上のビニルモノマー、ならびにラジカル開始剤を添加することを特徴とする、請求項１〜１１のいずれかに記載の反応樹脂の製造方法。
【請求項１３】
カーボンナノチューブの分散を超音波照射により補助し、縮合を水の除去により高温で行うことを特徴とする、請求項１２に記載の方法。
【請求項１４】
被覆物のための、フォームとしての、および充填組成物および接着組成物としての、成形体の製造における、請求項１〜１１のいずれかに記載の反応樹脂の使用。